(57)【特許請求の範囲】
【請求項１】
手の挿抜可能な処理室において濡れた手に高速空気流を噴射して手に付着した水分を吹飛ばして乾燥させる手乾燥部と、前記処理室の内壁面に消毒液を噴出して同処理室を消毒する消毒機構とを備え、前記手乾燥部を所定時間運転させた後、前記消毒機構に消毒動作をさせるようにした手乾燥装置。
【請求項２】
手の挿抜可能な処理室において濡れた手に高速空気流を噴射して手に付着した水分を吹飛ばして乾燥させる手乾燥部と、前記処理室の内壁面に消毒液を噴出して同処理室を消毒する消毒機構とを備え、その消毒機構を消毒液送出部とこれに接続した消毒液噴出部とから構成するとともに前記手乾燥部に対して着脱可能に構成した手乾燥装置。
【請求項３】
請求項２に記載の手乾燥装置であって、消毒液噴出部を消毒液送出部からの消毒液を導通しノズルを末端とする弾性を備えた弾性構造の管路体で構成し、この管路体をその拡開方向の自体の弾性力により手乾燥部の処理室の内壁面に圧接させるようにした手乾燥装置。
【請求項４】
請求項２に記載の手乾燥装置であって、消毒液噴出部を消毒液送出部からの消毒液を導通しノズルを末端とする柔構造の管路体と、この管路体を通常においては手乾燥部の処理室の内壁面に押圧する拡開方向のバネ力で付勢するバネ手段とにより構成した手乾燥装置。
【請求項５】
請求項１〜請求項４までのいずれかに記載の手乾燥装置であって、消毒機構に一定の間隔をおいて消毒液を所定量噴出させるようにした手乾燥装置。
【請求項６】
請求項１〜請求項４までのいずれかに記載の手乾燥装置であって、人感センサーを設け、この人感センサーが人を検知したときは消毒液の噴出を中断するようにした手乾燥装置。
【請求項７】
請求項１〜請求項４までのいずれかに記載の手乾燥装置であって、人感センサーを設け、この人感センサーが一定時間の間、人を検知しないときは、再び人を検知するまで消毒機構の運転を一時的に停止するようにした手乾燥装置。
【請求項８】
請求項１，請求項５，請求項６，請求項７のいずれかに記載の手乾燥装置であって、消毒液の噴出時刻と噴出量を任意に設定できるようにした手乾燥装置。
【請求項９】
手の挿抜可能な処理室において濡れた手に高速空気流を噴射して手に付着した水分を吹飛ばして乾燥させる手乾燥装置の処理室の内壁面に弾力により係脱可能に密接させうるノズルを末端とする管路体と、貯溜した消毒液を前記管路体に送出する消毒液送出部とを備えた手乾燥装置用消毒装置。
【請求項１０】
請求項９に記載の手乾燥装置用消毒装置であって、消毒液送出部の消毒液を貯溜する容器部分を、消毒液送出部の外殻を構成する部材で一体に形成した手乾燥装置用消毒装置。
【請求項１１】
請求項９又は請求項１０のいずれかに記載の手乾燥装置用消毒装置であって、消毒液の貯溜に関しその貯溜量を検知できるようにした手乾燥装置用消毒装置。
【発明の詳細な説明】
【０００１】
【発明の属する技術分野】
本発明は、洗浄後の濡れた手を衛生的に乾燥させるための手乾燥装置に関するものである。
【０００２】
【従来の技術】
洗浄後の濡れた手を乾燥させる装置の中には、高速空気流により手に付着した水滴を吹飛ばして乾燥させる手乾燥装置がある。例えば、特開２０００―９３３４８号公報には、前方と側方の開放した凹状形態の手挿入部を持ち、この手挿入部にエアーノズルにより高速空気流を噴出させる手乾燥装置が示されている。手挿入部において高速空気流に濡れた手を挿抜するように当てることにより、手に付着した水分は吹飛ばされごく短時間で手を乾燥させることができる。手から吹飛ばされ手挿入部に吹飛んだ水分は、手挿入部の内壁面に沿って流下し、排水口からドレンタンクや下水道に排水される。高速空気流の運動エネルギーにより手を乾燥させるこの種の装置は、ハンカチや手拭い等の直接的な手との接触なしに衛生的に濡れた手を乾燥させることができる。
【０００３】
【発明が解決しようとする課題】
上記のような従来の手乾燥装置は、手洗い後の手を短時間で衛生的に乾燥させることができるが、手から吹飛ばされ手挿入部に吹飛んだ水分には汚れや有機物が少なからず含まれており、手挿入部の内壁面に汚れや有機物が残留し、清掃が行き届かないと蓄積してしまうこともある。こうした汚れや有機物には雑菌が繁殖しやすく、確りした衛生管理が要求される食品関係の事業所や医療施設等では定期的な清掃・消毒が必要である。特に、処理後の水をドレンタンクに貯溜する形式の装置では、ドレンタンクが雑菌の温床となり易く、清掃・消毒の必要性が高い。
【０００４】
本発明は、上記した手乾燥装置の清掃・消毒の必要性に鑑みてなされたものであり、その課題とするところは、清掃・消毒機能を具備した手乾燥装置を得ることであり、その手乾燥装置の清掃性を向上させることであり、構成の簡素化や利便性を推進することである。
【０００５】
また、手乾燥装置に手軽に清掃・消毒機能を具備させることができる手乾燥装置用消毒装置を開発することや、その装置の構成の簡素化や使い易さの向上を図ることも課題としている。
【０００６】
【課題を解決するための手段】
前記課題を達成するために請求項１の発明は、手の挿抜可能な処理室において濡れた手に高速空気流を噴射して手に付着した水分を吹飛ばして乾燥させる手乾燥部と、処理室の内壁面に消毒液を噴出して処理室を消毒する消毒機構とを備え、手乾燥部を所定時間運転させた後、消毒機構に消毒動作をさせるようにする手段を採用する。
【０００８】
前記課題を達成するために請求項２の発明は、手の挿抜可能な処理室において濡れた手に高速空気流を噴射して手に付着した水分を吹飛ばして乾燥させる手乾燥部と、処理室の内壁面に消毒液を噴出して処理室を消毒する消毒機構とを備え、その消毒機構を消毒液送出部とこれに接続した消毒液噴出部とから構成するとともに手乾燥部に対して着脱可能に構成する手段を採用する。
【０００９】
前記課題を達成するために請求項３の発明は、請求項２に係る前記手段における消毒液噴出部を、消毒液送出部からの消毒液を導通しノズルを末端とする弾性を備えた弾性構造の管路体で構成し、この管路体をその拡開方向の自体の弾性力により手乾燥部の処理室の内壁面に圧接させるようにする手段を採用する。
【００１０】
前記課題を達成するために請求項４の発明は、請求項２に係る前記手段における消毒液噴出部を消毒液送出部からの消毒液を導通しノズルを末端とする柔構造の管路体と、この管路体を通常においては手乾燥部の処理室の内壁面に押圧する拡開方向のバネ力で付勢するバネ手段とにより構成する手段を採用する。
【００１２】
前記課題を達成するために請求項５の発明は、請求項１〜請求項４までのいずれかに係る前記手段における消毒機構に一定の間隔をおいて消毒液を所定量噴出させるようにする手段を採用する。
【００１３】
前記課題を達成するために請求項６の発明は、請求項１〜請求項４までのいずれかに係る前記手段に人感センサーを設け、この人感センサーが人を検知したときは消毒液の噴出を中断するようにする手段を採用する。
【００１４】
前記課題を達成するために請求項７の発明は、請求項１〜請求項４までのいずれかに係る前記手段に人感センサーを設け、この人感センサーが一定時間の間、人を検知しないときは、再び人を検知するまで消毒機構の運転を一時的に停止するようにする手段を採用する。
【００１５】
前記課題を達成するために請求項８の発明は、請求項１，請求項５，請求項６，請求項７のいずれかに係る前記手段における消毒液の噴出時刻と噴出量を任意に設定できるようにする手段を採用する。
【００１６】
前記課題を達成するために請求項９の発明は、手の挿抜可能な処理室において濡れた手に高速空気流を噴射して手に付着した水分を吹飛ばして乾燥させる手乾燥装置の処理室の内壁面に弾力により係脱可能に密接させうるノズルを末端とする管路体と、貯溜した消毒液を管路体に送出する消毒液送出部とを備える手段を採用する。
【００１７】
前記課題を達成するために請求項１０の発明は、請求項９に係る前記手段における消毒液送出部の消毒液を貯溜する容器部分を、消毒液送出部の外殻を構成する部材で一体に形成する手段を採用する。
【００１８】
前記課題を達成するために請求項１１の発明は、請求項９又は請求項１０のいずれかに係る前記手段における消毒液の貯溜についてその貯溜量を検知できるようにする手段を採用する。
【００１９】
【発明の実施の形態】
実施の形態１．
図１〜図８によって示す実施の形態1は、高速空気流によって手を乾燥させる手乾燥装置に関するものである。この手乾燥装置は、図１に示すように上面に手挿入口を有する外殻をなす本体箱体１内に組込まれた高圧空気流発生装置２による高圧空気流が手挿入口近傍に送られて、手挿入口に続く処理空間としての手挿入部３内に水分を吹飛ばす手乾燥に関する作動気流としての高速の空気流を形成する手乾燥部４と、手乾燥部４の内壁面に消毒液を噴出して手挿入部３を消毒する消毒機構５とから構成されている。
【００２０】
手挿入部３は本体箱体１の上部に、上面及び両側面の開放した手の挿抜可能の凹部として開放シンク状に形成されている。手挿入部3の底部は、Ｕ字状に形成されその中央に設けられた排水口が排水パイプ６により本体箱体１の下部に備えられた開放容器構造のドレンタンク７に排水可能に接続されている。
【００２１】
高圧空気流発生装置２は、ＤＣブラシレスモーター（通常の整流子モーター又は誘導電動機であっても良い）と、これを駆動させる駆動回路及びＤＣブラシレスモーターによって回転するターボファンにより構成され、この実施の形態では本体箱体１の手挿入部３の下方に取付けられていて、マイクロコンピュータを搭載した制御回路８によって自動運転される。高圧空気流発生装置２の吸気側は、本体箱体１内に設けられた吸気通路に臨んでいて、吸気通路端の吸込口から装置外の空気を吸込むことができるようになっている。
【００２２】
高圧空気流発生装置２の吹出口は、途中において手挿入部3の前側と後側に二股に分岐したダクトに接続され、分岐したダクトの各端に高圧空気流発生装置２から送られてくる高圧空気流を高速の気流に変換し、手挿入部３に前方と後方からライン状に吹出すエアーノズル９が接続されている。
【００２３】
エアーノズル９は、手挿入部３の手挿入口近傍の前部と後部の略中央に噴出口をやや下向きにして横方向に取付けられ、手挿入部３内に入れた手に高速の空気流を吹付け、手を擦り合わせることなく手に付いた水滴を手の表面から剥離し手挿入部３内へ吹飛ばす。
【００２４】
消毒機構５は、図２，３に示すように消毒液送出部１０とこれに接続した消毒液噴出部１１とから構成されている。消毒液送出部１０は、消毒液を貯溜するタンク１２と、タンク１２の消毒液を送り出す電磁ポンプ１３と、消毒液噴出部１１へ電磁ポンプ１３からの消毒液を送り込む接続パイプ１４とから構成されており、本体箱体１の上面に設けられた図４に示すＬＥＤ方式や図５に示す液晶のデジタル表示方式の操作パネル１５での設定により制御回路８によって自動運転も手動運転もできるようになっている。タンク１２は本体箱体１の背後側上部に取付けられ、キャップ１６付きのロート状の補給口１７と、異物の混入を防ぐフィルター１８が備えられている。また、タンク１２には消毒液の貯溜量を検知する液面センサー１９も備えられている。電磁ポンプ１３はゴムやバネ等の防振手段２０を介してタンク１２の近傍に取付けられ、吸込側がタンク１２に、吐出側が接続パイプ１４にそれぞれ接続されている。接続パイプ１４は手挿入部３の背後又は側面に下向きに配設され、その端部は手挿入部３の底部側後部に接続口２１として外部に引出されている。
【００２５】
消毒液噴出部１１は、接続パイプ１４の接続口２１に切離し可能に接続できる接続口を備え、消毒液送出部１０からの消毒液を導通しノズル２２を末端とする柔構造の管路体２３と、管路体２３を通常においては手乾燥部４の手挿入部３の内壁面に押圧するよう、拡開方向のバネ力で付勢するバネ手段２４とにより構成されている。その全体形状は、手挿入部３の形状に倣い側面視でＵ字形をしていて、手挿入部３内に着脱可能に装着されている。ノズル２２は逆止弁を備えていて、前側上部と後側上部に横方向に並ぶノズル列として対向状に設けられ、消毒液を霧状にして手挿入部３の上部側において内向きに噴出することができる。バネ手段２４は、手挿入部３の形状に倣ったＵ字状にバネ線材により構成され、ノズル列間の左右に一つずつ装架状に掛着され、管路体２３をその拡開方向のバネ力によって手挿入部３の内壁面に圧接させている。
【００２６】
なお、ノズル２２は広範に消毒液を噴出させる方が有効性が高いので、末広がりの噴流を形成する方式のものが良い。また、噴流の作用で噴出方向が変化するスプリングクラ方式のものを採用することもできる。
【００２７】
この手乾燥装置では、手挿入口から手挿入部３内に手を概ね手首付近まで入れると、手を検知する手検知センサーによって手が検知され、制御回路８の処理により高圧空気流発生装置２が作動し、エアーノズル９から高い運動エネルギーを持つ高速空気流が手挿入部３内に吹出され、挿入された手に当り手に付着した水分を手挿入部３の底側へ吹飛ばす。さらに、手挿入部３内で手を挿抜させることによって、手全体に付着していた水滴が全て排除され、手が乾燥処理される。そして手の乾燥処理終了後、手を手挿入部３から完全に抜くと、手を検知する手検知センサーで手を抜いたことが検知され、高圧空気流発生装置２が停止する。手から吹飛ばされた水滴は手挿入部３の内壁面に付着するが逐次底部に流下して排水口から排水パイプ６を通ってドレンタンク７に貯溜される。
【００２８】
消毒機構５は、通常は自動モードに設定されているが、操作パネル１５での手動スイッチ２５の操作により手動でも動作させることができる。手動の場合、手動スイッチ２５の操作で制御回路８は、電磁ポンプ１３を動作させタンク１２に貯溜されている消毒液（例えば、エタノールや塩化ベンザルコニウムやクレゾール）を加圧して接続パイプ１４を介して管路体２３に送り込む。管路体２３に送り込まれた消毒液は、ノズル列の各ノズル２２から霧状に手挿入部３の内壁面に向って広範に噴霧される。前後のノズル２２は対向しているがノズル２２の間隔がずらしてあり噴霧消毒液同士が衝突しあうことは殆どない。消毒液の噴霧により手挿入部３は消毒され、これにより雑菌の繁殖が防止される。手挿入部３の内壁面に付着した消毒液は逐次流下し、手挿入部３の底部の排水口から排水パイプ６を経てドレンタンク７に溜められる。これにより、ドレンタンク７の汚水も消毒されるため、ドレンタンク７が雑菌の温床となることも回避することができる。
【００２９】
自動運転させる場合、始めに操作パネル１５において運転時間設定手段２６により一回当りに電磁ポンプ１３を動作させる時間Ｔa秒を、例えば２秒、３秒、４秒といったように設定し、一回の消毒に使う消毒液の吐出量を決める。また、消毒間隔時間設定手段２７により、消毒動作の時間間隔Ｔｂを、例えば３０秒、１時間、２時間、３時間といったように設定し、消毒運転の間隔を決めておく。これらの設定値は表示用ＬＥＤ２８や液晶パネル２９により操作パネル１５上に表示される。
【００３０】
制御回路８には予め消毒動作についての自動運転プログラムがソフトウエアーとして組込まれ、この自動運転プログラムに従って消毒機構５の運転が制御される。制御回路８の基本的な制御動作は、図６のフローチャートに示すように運転時間設定手段２６による設定時間Ｔａと、消毒間隔時間設定手段２７による時間間隔Ｔｂに基づいて行われる。なお、図６のフローチャートは消毒運転に特記して示している。
【００３１】
即ち、電源の投入により制御回路８は、図６におけるステップ♯１においてタイマー（Ｔｂ）をスタートさせ、ステップ♯２で時間間隔Ｔｂが経過したかどうかを判定する。経過していなければステップ♯２の判定を繰り返し、経過していればステップ♯３へ進む。ステップ♯３では手乾燥部４が乾燥動作しているかどうかの判定を行い、乾燥動作していればステップ♯３の判定を繰り返す。ステップ♯３で手乾燥部４が乾燥動作していなければステップ♯４において手乾燥部４を数秒間（２〜４秒）運転させる処理をした後、ステップ♯５において電磁ポンプ１３を時間Ｔａ秒の間動作させる処理をして、ステップ♯１へ戻る。これにより手乾燥処理中は、消毒効果が挙がらない消毒動作を中止し、消毒効果が挙がる手乾燥処理していないときに消毒動作を行うことができる。そして、手挿入部３の内壁面に水分が付着していると消毒効果が低くなるので、消毒前にエアーノズル９から数秒の間高速空気流を噴射して水分を払拭してから消毒動作を行うことで、消毒効果を挙げることができる。
【００３２】
図１に示すように本体箱体１の上部前面に人感センサー３０を配設し、これを制御回路８に繋いでその出力信号を利用することにより、消毒機構５をさらにきめ細かに制御して自動運転させることができる。本体箱体１の上部前面に配設された人感センサー３０は、ある距離範囲内に人が存在しているか否かを検知することができる。図６で示したフローチャートの消毒動作のタイミング時に、人感センサー３０が人を検知していれば、人を検知しなくなってから一定時間（例えば６０秒）経過した後に消毒動作を行わせることができる。
【００３３】
そして、消毒動作中に人感センサー３０が人を検知した場合、消毒液の噴出を即座に中断し、その後人を検知しなくなってから一定時間（例えば６０秒）経過した後に再度消毒動作を行わせることができる。これにより、人が近くに居ないときに手挿入部３の消毒が行われることになり、利用者の目の前での消毒動作といった不快感を醸させるような消毒動作を回避することができ、使用感が向上する。制御のアルゴリズムとしては、図６のフローチャートのステップ♯３とステップ５の間に図７に示すステップ♯６〜ステップ♯９のフローを挿入すれば良い。
【００３４】
また、人感センサー３０が、設定された間隔時間Ｔｂより少し長い所定時間Ｔｃ（例えば、Ｔｃ＝２ＴｂかつＴｃ≦４時間）に一度も人を検知しない場合には、一時的に消毒動作のプログラムを停止し、時間間隔Ｔｂが経過しても、再度人感センサー３０が人を検知するまで消毒機構５を待機状態におくこともできる。これにより不必要な消毒動作をしないで済み、消毒液の無駄な消費を抑えることができる。制御のアルゴリズムとしては、図８に示すステップ♯１０〜ステップ♯１５のフローを図６のステップ♯１とステップ♯２の間に挿入すれば良い。
【００３５】
タンク１２の消毒液の残量は液面センサー１９により検知され制御回路８で監視され、残量が少なくなったときには操作パネル１５において表示用ＬＥＤ２８を点灯させ補給要請を行う。また、残量が殆どなくなったときには消毒機構５の運転を停止させ、空運転が防止される。
【００３６】
このように本実施の形態の手乾燥装置は、装置自らが手挿入部３の消毒を設定された時間間隔Ｔｂで所定量の消毒液の噴出によって自動的に行うため、清掃・消毒の煩わしさがなく、厳しい衛生管理の必要な食品を扱う事業所や医療機関等に好適なものである。消毒機構５の消毒液噴出部１１は、管路体２３を内側へ押し縮めるだけで手挿入部３から容易に外すことができ、手挿入部３の清掃の妨げにはならない。なお、管路体２３を弾性構造にして自体の弾性力で手挿入部３に密接するように構成すればバネ手段２４を省略でき、構成を簡素にすることができる。
【００３７】
実施の形態２．
図９と図１０に示す本実施の形態は、手乾燥装置用消毒装置に関するものであり、実施の形態１で示した消毒機構５を手乾燥装置に外付けにできるように構成したものである。基本的な構成は実施の形態１の消毒機構５と変わらない。従って、実施の形態１のものと同じ部分については、実施の形態１のものと同じ符号を用いそれらについての説明は省略する。
【００３８】
本実施の形態の手乾燥装置用消毒装置は、内部に消毒液送出部１０を構成した本体外殻３１の一部によって消毒液のタンク１２が一体に構成されている。本体外殻３１の上面部の一部は開閉可能の蓋構造３２で構成され、蓋構造３２を開けてタンク１２のキャップ１６を外せば消毒液の補充が可能である。手乾燥装置に外付けにするものであるため、本体外殻３１内に実施の形態１の制御回路８と同じ機能を果たす制御回路８ａが組込まれている。この制御回路８ａは手乾燥装置の制御回路８から運転情報が得られるようになっている。
【００３９】
これ以外の構成は実施の形態１で示した消毒機構５と変わらない。この手乾燥装置用消毒装置の本体外殻３１を手乾燥装置の上方に取付け、手挿入部３に消毒液噴出部１１を装着すれば、実質的に実施の形態１で示した手乾燥装置とすることができる。従って、既設の手乾燥装置に簡単に自動消毒機能を付加することができ、取付けも簡単で便利である。これ以外の機能は実施の形態１の消毒機構５の機能と同じである。
【００４０】
【発明の効果】
請求項１の発明によれば、消毒効果の高い清掃性の良い手乾燥装置が得られる。
【００４２】
請求項２の発明によれば、清掃性の良い手乾燥装置が得られる。
【００４３】
請求項３の発明によれば、請求項２に係る前記効果とともに消毒機構の脱着が容易になり、その構成も簡素になる。
【００４４】
請求項４の発明によれば、請求項２に係る前記効果とともに消毒機構の脱着が容易になり、装着状態も安定する。
【００４６】
請求項５の発明によれば、請求項１〜請求項４までのいずれかに係る前記効果とともに適量の消毒液を使った消毒を定期的に自動で行うことができ、利便性が高いものとなる。
【００４７】
請求項６の発明によれば、請求項１〜請求項４までのいずれかに係る前記効果とともに、人目を避けて消毒が実施でき、利用感が向上する。
【００４８】
請求項７の発明によれば、請求項１〜請求項４までのいずれかに係る前記効果とともに不用な消毒を回避でき、消毒液の使用量も減らすことができる。
【００４９】
請求項８の発明によれば、請求項１，請求項５，請求項６，請求項７のいずれかに係る前記効果とともに利用頻度等、使用状況に応じた消毒を実施することができ利便性が高まる。
【００５０】
請求項９の発明によれば、既設の手乾燥装置に手軽に清掃・消毒機能を具備させることができる手乾燥装置用消毒装置が得られる。
【００５１】
請求項１０の発明によれば、請求項９に係る前記効果とともに部品点数を削減でき構成の簡素化を推進できる。
【００５２】
請求項１１の発明によれば、請求項９又は請求項１０のいずれかに係る前記効果とともに消毒液の貯溜量に応じて補充要請や消毒動作の停止を行わせることが可能になる。
【図面の簡単な説明】
【図１】  実施の形態１の手乾燥装置の側面構成図である。
【図２】  実施の形態１の手乾燥装置における消毒液送出部の断面構成図である。
【図３】  実施の形態１の手乾燥装置における消毒液噴出部の斜視図である。
【図４】  実施の形態１の操作パネルの正面図である。
【図５】  実施の形態１の他の形態の操作パネルの正面図である。
【図６】  実施の形態１の手乾燥装置における消毒機構に関する制御動作を示すフローチャートである。
【図７】  実施の形態１の手乾燥装置における消毒機構に関する制御動作の一部を特記して示すフローチャートである。
【図８】  実施の形態１の手乾燥装置における消毒機構に関する制御動作の一部を特記して示すフローチャートである。
【図９】  実施の形態２の手乾燥装置用消毒装置における消毒液送出部の断面構成図である。
【図１０】  実施の形態２の手乾燥装置用消毒装置における消毒液噴出部の斜視図である。
【符号の説明】
２  高圧空気流発生装置、  ３  手挿入部、  ４  手乾燥部、  ５  消毒機構、  ８，８ａ制御回路、  ９  エアーノズル、  １０  消毒液送出部、  １１  消毒液噴出部、  １２  タンク、  １３  電磁ポンプ、  １９  液面センサー、２２  ノズル、  ２３  管路体、  ２４  バネ手段、  ２６  運転時間設定手段、  ２７  消毒間隔時間設定手段、  ３０  人感センサー、  ３１  本体外殻。
【図１】
0003812322.tif 000002
【図２】
0003812322.tif 000003
【図３】
0003812322.tif 000004
【図４】
0003812322.tif 000005
【図５】
0003812322.tif 000006
【図６】
0003812322.tif 000007
【図７】
0003812322.tif 000008
【図８】
0003812322.tif 000009
【図９】
0003812322.tif 000010
【図１０】
0003812322.tif 000011